(57)【要約】【課題】振りかけその他の食材を用いて複数種類の絵柄を米飯上に形成することが可能な食材用絵柄形成具を提供する。【解決手段】食材用絵柄形成具１００は、予め定められた形状の輪郭に沿って形成された輪郭形成用内壁１１０と、輪郭形成用内壁１１０の外側に位置し、予め定められた形状の輪郭に沿って形成された輪郭形成用外壁１２０と、輪郭形成用内壁１１０と輪郭形成用外壁１２０とを双方が離隔した状態で接続する接続片１３０と、からなり、輪郭形成用内壁１１０の下端と輪郭形成用外壁１２０の下端とは同一面上にある。【選択図】図１
0003147853.tif 000002
【実用新案登録請求の範囲】
【請求項１】
予め定められた形状の輪郭に沿って形成された輪郭形成用内壁と、
前記輪郭形成用内壁の外側に位置し、予め定められた形状の輪郭に沿って形成された輪郭形成用外壁と、
前記輪郭形成用内壁と前記輪郭形成用外壁とを双方が離隔した状態で接続する少なくとも一つの接続片と、
からなり、
前記輪郭形成用内壁の下端と前記輪郭形成用外壁の下端とは同一面上にある食材用絵柄形成具。
【請求項２】
前記輪郭形成用外壁の外側に位置し、予め定められた形状の輪郭に沿って形成されたＮ（Ｎは１以上の正の整数）個の輪郭形成用追加外壁をさらに有しており、
前記輪郭形成用外壁と最も内側に位置する前記輪郭形成用追加外壁とは、さらに、相互に隣り合う前記輪郭形成用追加外壁は、双方が離隔した状態で少なくとも一つの接続片を介して接続されており、
前記輪郭形成用内壁の下端と前記輪郭形成用追加外壁の下端とは同一面上にあることを特徴とする請求項１に記載の食材用絵柄形成具。
【請求項３】
前記輪郭形成用外壁及び前記輪郭形成用追加外壁の各々は、外側から内側に向かって傾斜する傾斜部と、前記傾斜部の下端を始点として鉛直方向下側に延びる鉛直部と、からなるものであることを特徴とする請求項１または２に記載の食材用絵柄形成具。
【請求項４】
前記輪郭形成用内壁は前記輪郭形成用外壁及び前記輪郭形成用追加外壁より高さが高いことを特徴とする請求項１乃至３の何れか一項に記載の食材用絵柄形成具。
【請求項５】
前記接続片は前記傾斜部の鉛直方向成分に沿ってのみ形成されていることを特徴とする請求項１乃至４の何れか一項に記載の食材用絵柄形成具。
【請求項６】
前記食材用絵柄形成具に対する蓋であって、
前記輪郭形成用内壁の内部に嵌合し得る形状の凹部を有する平面部と、
前記平面部の外縁から下方に延び、前記輪郭形成用外壁の上端または最も外側に位置する前記輪郭形成用追加外壁の上端に接する外縁部と、を有する蓋をさらに備えることを特徴とする請求項１乃至５の何れか一項に記載の食材用絵柄形成具。
【考案の詳細な説明】
【技術分野】
【０００１】
本考案は、例えば、弁当箱に盛られた米飯の上に振りかけで所定の絵柄を形成するための食材用絵柄形成具に関する。
【背景技術】
【０００２】
このような食材用絵柄形成具の一例として特開２００８−７９９２６号公報に記載されたものがある。
【０００３】
同公報に記載された食材用絵柄形成具は、底面に開口部が形成されたホッパと、開口部の外縁に沿って下向きに形成された環状壁部と、から構成されている。
【０００４】
ホッパに形成された開口部は所定の絵柄（例えば、漫画などのキャラクター、動物の顔など）と同一の輪郭をなしている。開口部は、例えば、ネットで覆われている。
【０００５】
弁当箱にほぼ平らに盛られた米飯の上にこの食材用絵柄形成具を置き、ホッパの内部に振りかけを撒くと、振りかけが開口部を通過して、米飯上に落下する。開口部の全領域において一様に振りかけを撒くことにより、米飯上には開口部と同一形状の絵柄が形成される。
【０００６】
このように、食材用絵柄形成具によれば、弁当箱の米飯上に振りかけで開口部と同一形状の所定の絵柄をつくることができる。
【考案の開示】
【考案が解決しようとする課題】
【０００７】
しかしながら、上記の公報に記載された従来の食材用絵柄形成具は振りかけで単一の絵柄のみを形成することしかできないものであった。
【０００８】
このため、複数種類の絵柄を形成することはできず、バリエーションに欠けるという問題点を有していた。
【０００９】
本考案は以上のような従来の食材用絵柄形成具における問題点に鑑みてなされたものであり、振りかけその他の食材を用いて複数種類の絵柄を米飯上に形成することが可能な食材用絵柄形成具を提供することを目的とする。
【課題を解決するための手段】
【００１０】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１１】
上記の目的を達成するため、本考案は、予め定められた形状の輪郭に沿って形成された輪郭形成用内壁（１１０）と、前記輪郭形成用内壁（１１０）の外側に位置し、予め定められた形状の輪郭に沿って形成された輪郭形成用外壁（１２０）と、前記輪郭形成用内壁（１１０）と前記輪郭形成用外壁（１２０）とを双方が離隔した状態で接続する少なくとも一つの接続片（１３０）と、からなり、前記輪郭形成用内壁（１１０）の下端と前記輪郭形成用外壁（１２０）の下端とは同一面上にある食材用絵柄形成具（１００）を提供する。
【００１２】
本考案に係る食材用絵柄形成具（３００）は、前記輪郭形成用外壁（１２０）の外側に位置し、予め定められた形状の輪郭に沿って形成されたＮ（Ｎは１以上の正の整数）個の輪郭形成用追加外壁（３１０）をさらに有することができる。この場合、前記輪郭形成用外壁（１２０）と最も内側の前記輪郭形成用追加外壁（３１０）とは、さらに、相互に隣り合う前記輪郭形成用追加外壁（３１０）は、双方が離隔した状態で少なくとも一つの接続片（３２０）を介して接続されており、前記輪郭形成用内壁（１１０）の下端と前記輪郭形成用追加外壁（３１０）の下端とは同一面上にあるように形成される。
【００１３】
前記輪郭形成用外壁（１２０）及び前記輪郭形成用追加外壁（３１０）の各々は、外側から内側に向かって傾斜する傾斜部（１２１）と、前記傾斜部（１２１）の下端を始点として鉛直方向下側に延びる鉛直部（１２２）と、からなるものであることが好ましい。
【００１４】
前記輪郭形成用内壁（１１０）は前記輪郭形成用外壁（１２０）及び前記輪郭形成用追加外壁（３１０）より高さが高いことが好ましい。
【００１５】
また、前記接続片（１３０）は前記傾斜部（１２１）の鉛直方向成分に沿ってのみ形成されていることが好ましい。
【００１６】
本考案に係る食材用絵柄形成具（２００）は、前記食材用絵柄形成具（１００）に対する蓋（２５０）であって、前記輪郭形成用内壁（１１０）の内部に嵌合し得る形状の凹部（２５１）を有する平面部（２５２）と、前記平面部（２５２）の外縁から下方に延び、前記輪郭形成用外壁（１２０）の上端または最も外側に位置する前記輪郭形成用追加外壁（３１０）の上端に接する外縁部（２５３）と、を有する蓋（２５０）をさらに備えることが好ましい。
【考案の効果】
【００１７】
上述のように、従来の食材用絵柄形成具によれば、一つの領域において一つの絵柄のみを形成することしかできなかった。具体的には、従来の食材用絵柄形成具は、例えば、本考案に係る食材用絵柄形成具の輪郭形成用内壁で囲まれる領域においてのみ絵柄を形成するものであった。
【００１８】
これに対して、本考案に係る食材用絵柄形成具によれば、二つの領域、すなわち、輪郭形成用内壁で囲まれる領域及び輪郭形成用内壁と輪郭形成用外壁とで囲まれる領域においてそれぞれ異なる絵柄を形成することが可能である。すなわち、本考案に係る食材用絵柄形成具は、前者の領域においては第一の食材による絵柄、後者の領域においては第二の食材による絵柄を米飯上にそれぞれ形成することが可能であり、従来の食材用絵柄形成具と比較して、より多くの数の絵柄を形成することが可能になる。
【００１９】
また、輪郭形成用追加外壁を設けることにより、食材でさらに多数の絵柄を米飯上に形成することが可能になる。
【００２０】
また、傾斜部を設けることにより、輪郭形成用外壁の上方の位置ほど輪郭形成用内壁と輪郭形成用外壁との間の開口面積が広くなっている。このため、輪郭形成用内壁と輪郭形成用外壁とで囲まれている領域内において米飯上に第二の食材を乗せることを容易に行うことができる。例えば、第二の食材として振りかけその他の粒子状の食材を用いる場合には、傾斜部上に落ちた第二の食材は傾斜部に沿って米飯上に滑り落ちるため、輪郭形成用外壁の外側に第二の食材をこぼすことを防止することができる。
【００２１】
また、本考案に係る食材用絵柄形成具においては、輪郭形成用内壁を型抜き具として使用することも可能である。すなわち、輪郭形成用内壁を輪郭形成用外壁よりも高く形成することにより、輪郭形成用内壁の上端を下にして、シート状食材に押し付けることにより、そのシート状食材を輪郭形成用内壁の輪郭に合わせて型抜きすることができる。
【００２２】
また、接続片は輪郭形成用外壁の傾斜部の鉛直方向成分に沿ってのみ形成されており、傾斜部の全高にわたって形成されているものではない。すなわち、接続片は、食材用絵柄形成具を米飯上に置いたときに、直接的に米飯に接するようには形成されていない。このため、輪郭形成用外壁の上方から輪郭形成用内壁と輪郭形成用外壁とで囲まれる領域に第二の食材を落とす場合、米飯上において、接続片によって第二の食材が途切れることがなく、第二の食材による絵柄を連続して形成することができる。
【００２３】
さらに、輪郭形成用内壁で囲まれた領域には第一の食材による絵柄を、輪郭形成用内壁と輪郭形成用外壁とで囲まれた領域には第二の食材による絵柄をそれぞれ米飯上に形成した後、食材用絵柄形成具に蓋を被せることにより、食材用絵柄形成具の周囲を第三の食材を乗せる領域として使用することが可能になる。これにより、第一の食材、第二の食材及び第三の食材を用いて米飯上に複数の絵柄を形成することが可能になる。
【考案を実施するための最良の形態】
【００２４】
（第一の実施形態）
図１（Ａ）は本考案の第一の実施形態に係る食材用絵柄形成具１００を上方から見た場合の平面図、図１（Ｂ）は図１（Ａ）のＡ−Ａ線における断面図である。
【００２５】
図１（Ａ）及び図１（Ｂ）に示すように、本実施形態に係る食材用絵柄形成具１００は、予め定められた形状の輪郭に沿って形成された輪郭形成用内壁１１０と、輪郭形成用内壁１１０の外側に位置し、予め定められた形状の輪郭に沿って形成された輪郭形成用外壁１２０と、輪郭形成用内壁１１０と輪郭形成用外壁１２０とを双方が離隔した状態で接続する４個の接続片１３０と、から構成されている。
【００２６】
本実施形態に係る食材用絵柄形成具１００はポリプロピレンその他の樹脂で一体成型されている。
【００２７】
本実施形態に係る食材用絵柄形成具１００においては、輪郭形成用内壁１１０に対する「予め定められた形状」とは「熊の顔」を模した形状であり、輪郭形成用外壁１２０に対する「予め定められた形状」は輪郭形成用内壁１１０の「予め定められた形状」と相似な形状を指すものとする。
【００２８】
図１（Ｂ）に示すように、輪郭形成用内壁１１０は上下方向に開口している。
【００２９】
同様に、輪郭形成用外壁１２０も上下方向に開口している。
【００３０】
図１（Ｂ）に示すように、輪郭形成用外壁１２０は、外側から内側に向かって傾斜する傾斜部１２１と、傾斜部１２１の下端を始点として鉛直方向下側に延びる鉛直部１２２と、から構成されている。
【００３１】
図１（Ｂ）に示すように、輪郭形成用内壁１１０の下端と輪郭形成用外壁１２０の下端とは同一面上に位置するように構成されている。
【００３２】
さらに、同じく図１（Ｂ）に示すように、輪郭形成用内壁１１０は輪郭形成用外壁１２０より高さが高くなるように設定されている。
【００３３】
４個の接続片１３０の各々は輪郭形成用外壁１２０の傾斜部１２１の鉛直方向成分に沿って形成されており、かつ、食材用絵柄形成具１００の中心を通る縦方向線及び横方向線に沿って形成されている。
【００３４】
接続片１３０は、輪郭形成用内壁１１０と輪郭形成用外壁１２０とが全周にわたって等距離に離隔されるように、輪郭形成用内壁１１０と輪郭形成用外壁１２０とを相互に接続している。
【００３５】
以上のような構造を有する本実施形態に係る食材用絵柄形成具１００は次のように使用される。
【００３６】
まず、平らに盛られた米飯の上に、輪郭形成用外壁１２０の鉛直部１２２が傾斜部１２１よりも下方に位置するように、食材用絵柄形成具１００を置く。
【００３７】
次いで、輪郭形成用内壁１１０に囲まれている第一領域１１１内において米飯上に第一の食材を乗せる。例えば、第一領域１１１内において米飯上に振りかけを撒いたり、あるいは、炒り卵を敷き詰めたりする。
【００３８】
次いで、輪郭形成用内壁１１０と輪郭形成用外壁１２０とで囲まれている第二領域１２３内において米飯上に第二の食材を乗せる。例えば、第二の食材として第一の食材とは異なる食材を選択する。あるいは、第二の食材が第一の食材と同一である場合（例えば、ともに振りかけである場合）には、第一の食材と第二の食材とで異なる色のものを選択する。
【００３９】
輪郭形成用外壁１２０はその上方部分が傾斜部１２１として形成されており、輪郭形成用外壁１２０の上方の位置ほど輪郭形成用内壁１１０と輪郭形成用外壁１２０との間の開口面積が広くなっているため、第二領域１２３内において米飯上に第二の食材を乗せることを容易に行うことができる。
【００４０】
例えば、第二の食材として振りかけその他の粒子状の食材を用いる場合には、傾斜部１２１上に落ちた第二の食材は傾斜部１２１に沿って米飯上に滑り落ちるため、輪郭形成用外壁１２０の外側に第二の食材をこぼすことを防止することができる。
【００４１】
この後、食材用絵柄形成具１００を米飯上から取り外す。
【００４２】
米飯上には、第一領域１１１に対応する領域には第一の食材が、第二領域１２３に対応する領域には第二の食材がそれぞれ乗せられている。すなわち、第一の食材及び第二の食材のそれぞれが米飯上に絵柄を形成している。
【００４３】
本実施形態に係る食材用絵柄形成具１００は次のような効果を奏する。
【００４４】
上述のように、従来の食材用絵柄形成具によれば、一つの領域において一つの絵柄のみを形成することしかできなかった。具体的には、従来の食材用絵柄形成具は、例えば、本実施形態に係る食材用絵柄形成具１００の第一領域１１１においてのみ絵柄を形成するものであった。
【００４５】
これに対して、本実施形態に係る食材用絵柄形成具１００によれば、二つの領域においてそれぞれ異なる絵柄を形成することが可能である。すなわち、本実施形態に係る食材用絵柄形成具１００は、第一領域１１１においては第一の食材による絵柄、第二領域１２３においては第二の食材による絵柄を米飯上にそれぞれ形成することが可能であり、従来の食材用絵柄形成具と比較して、より多くの数の絵柄を形成することを可能にする。
【００４６】
また、接続片１３０は輪郭形成用外壁１２０の傾斜部１２１の鉛直方向成分に沿ってのみ形成されており、傾斜部１２１の全高にわたって形成されているものではない。すなわち、接続片１３０は、食材用絵柄形成具１００を米飯上に置いたときに、直接的に米飯に接するようには形成されていない。このため、輪郭形成用外壁１２０の上方から第二領域１２３に第二の食材を落とす場合、米飯上において、接続片１３０によって第二の食材が途切れることがなく、第二の食材による絵柄を連続して形成することができる。
【００４７】
また、本実施形態に係る食材用絵柄形成具１００においては、輪郭形成用内壁１１０を型抜き具として使用することも可能である。
【００４８】
すなわち、輪郭形成用内壁１１０は輪郭形成用外壁１２０よりも高く形成されているため、輪郭形成用内壁１１０の上端（図１（Ｂ）における上端）を下にして、シート状食材に押し付けることにより、そのシート状食材を輪郭形成用内壁１１０の輪郭に合わせて型抜きすることができる。
【００４９】
本実施形態に係る食材用絵柄形成具１００は上述のような構造に限定されるものではなく、種々の改変が可能である。
【００５０】
例えば、本実施形態に係る食材用絵柄形成具１００においては、輪郭形成用内壁１１０は予め定められた形状として「熊の顔」を模した形状を有しており、輪郭形成用外壁１２０は予め定められた形状として輪郭形成用内壁１１０の「予め定められた形状」と相似な形状を有している。輪郭形成用内壁１１０及び輪郭形成用外壁１２０が有する「予め定められた形状」はこれらの形状に限定されるものではなく、任意の形状を選択することが可能である。
【００５１】
また、輪郭形成用内壁１１０の「予め定められた形状」と輪郭形成用外壁１２０の「予め定められた形状」とは必ずしも相似または同一である必要はなく、相互に異なる形状とすることも可能である。例えば、輪郭形成用内壁１１０の「予め定められた形状」として「熊の顔」を模した形状を選択し、輪郭形成用外壁１２０の「予め定められた形状」として星型を選択することも可能である。
【００５２】
また、輪郭形成用内壁１１０と輪郭形成用外壁１２０とは、接続片１３０を介して、それらの全周にわたって相互に等距離に離隔されているが、等距離に離隔されることは必ずしも必要ではない。輪郭形成用内壁１１０と輪郭形成用外壁１２０とがそれらの全周にわたって離隔されていればよい。
【００５３】
本実施形態に係る食材用絵柄形成具１００は４個の接続片１３０を有するものとして構成されているが、接続片１３０の数は４には限定されない。輪郭形成用内壁１１０と輪郭形成用外壁１２０と相互に接続できる限りにおいて、任意の個数を選択することが可能である。
【００５４】
本実施形態に係る食材用絵柄形成具１００においては、輪郭形成用外壁１２０は傾斜部１２１と鉛直部１２２とから構成されているが、輪郭形成用外壁１２０をそのように構成することは必ずしも必要ではない。例えば、輪郭形成用外壁１２０を輪郭形成用外壁１２０と同様に鉛直壁として形成することも可能である。あるいは、輪郭形成用外壁１２０を傾斜部１２１のみから形成することも可能である。すなわち、輪郭形成用外壁１２０を外側（上端）から内側（下端）に向かって傾斜する壁として形成することも可能である。
【００５５】
また、本実施形態に係る食材用絵柄形成具１００においては、輪郭形成用内壁１１０は輪郭形成用外壁１２０より高さが高く設定されているが、輪郭形成用内壁１１０を輪郭形成用外壁１２０よりも高く形成することは必ずしも必要ではない。例えば、輪郭形成用内壁１１０は輪郭形成用外壁１２０と同一の高さであってもよく、あるいは、輪郭形成用内壁１１０は輪郭形成用外壁１２０より低くてもよい。
【００５６】
（第二の実施形態）
図２（Ａ）は本実施形態に係る食材用絵柄形成具２００に用いる蓋２５０を上方から見た場合の平面図、図２（Ｂ）は図２（Ａ）のＢ−Ｂ線における断面図である。
【００５７】
本実施形態に係る食材用絵柄形成具２００は、第一の実施形態に係る食材用絵柄形成具１００に加えて、図２（Ａ）及び図２（Ｂ）に示す蓋２５０を用いる。
【００５８】
蓋２５０は、輪郭形成用内壁１１０の内部に嵌合し得る形状の凹部２５１を有する平面部２５２と、平面部２５２の外縁から下方に延び、輪郭形成用外壁１２０の上端に接する外縁部２５３と、を備えている。
【００５９】
図２（Ｃ）は蓋２５０を食材用絵柄形成具１００に被せた状態を示す図１（Ｂ）または図２（Ｂ）と同様の断面図である。
【００６０】
図２（Ｃ）に示すように、蓋２５０を食材用絵柄形成具１００に被せると、食材用絵柄形成具１００の第一領域１１１及び第二領域１２３は蓋２５０により完全に覆われる。
【００６１】
本実施形態における蓋２５０は以下のように使用される。
【００６２】
第一の実施形態に係る食材用絵柄形成具１００を用いて、第一領域１１１には第一の食材による絵柄を、第二領域１２３には第二の食材による絵柄をそれぞれ米飯上に形成した後、食材用絵柄形成具１００に蓋２５０を被せる。
【００６３】
次いで、食材用絵柄形成具１００の周囲において、米飯上に第三の食材を乗せる。すなわち、第三の食材は第一領域１１１及び第二領域１２３の外側の領域（以下、「外側領域」と呼ぶ）において米飯上に乗せられる。
【００６４】
この後、食材用絵柄形成具１００及び蓋２５０を米飯上から取り外す。
【００６５】
米飯上には、第一領域１１１に対応する領域には第一の食材が、第二領域１２３に対応する領域には第二の食材が、外側領域に対応する領域には第三の食材がそれぞれ乗せられている。すなわち、第一の食材、第二の食材及び第三の食材のそれぞれが米飯上に絵柄を形成している。
【００６６】
以上のように、本実施形態に係る食材用絵柄形成具２００によれば、蓋２５０を用いることにより、最大で３種類の異なる絵柄を米飯上に形成することが可能である。
【００６７】
また、蓋２５０の凹部２５１は外縁部２５３よりも下方に突出しているため、凹部２５１を押し型として用いることも可能である。例えば、米飯に凹部２５１を上方から押し付けることにより、米飯に凹部２５１と同一形状の凹部を形成することができる。
【００６８】
なお、第一領域１１１、第二領域１２３及び外側領域の全ての領域を使用することは必ずしも必要ではなく、例えば、第一領域１１１及び外側領域を使用したり、あるいは、第二領域１２３及び外側領域を使用したりすることが可能である。
【００６９】
（第三の実施形態）
図３（Ａ）は本考案の第三の実施形態に係る食材用絵柄形成具３００を上方から見た場合の平面図、図３（Ｂ）は図３（Ａ）のＣ−Ｃ線における断面図である。
【００７０】
本実施形態に係る食材用絵柄形成具３００は、第一の実施形態に係る食材用絵柄形成具１００と比較して、１個の輪郭形成用追加外壁３１０と４個の追加接続片３２０をさらに備えている。
【００７１】
本実施形態に係る食材用絵柄形成具３００は、１個の輪郭形成用追加外壁３１０と４個の追加接続片３２０をさらに備えている点を除いて、第一の実施形態に係る食材用絵柄形成具１００と同一の構造を有している。このため、第一の実施形態に係る食材用絵柄形成具１００と同一の構成要素については同一の参照符号を用い、詳細な説明は省略する。
【００７２】
輪郭形成用追加外壁３１０は輪郭形成用外壁１２０の外側に位置し、予め定められた形状の輪郭に沿って形成されている。ここに、「予め定められた形状」とは、輪郭形成用外壁１２０と相似な形状を指す。
【００７３】
輪郭形成用外壁１２０と同様に、輪郭形成用追加外壁３１０も外側から内側に向かって傾斜する傾斜部１２１と、傾斜部１２１の下端を始点として鉛直方向下側に延びる鉛直部１２２と、から構成されている。
【００７４】
また、図３（Ｂ）に示すように、輪郭形成用追加外壁３１０の下端と輪郭形成用内壁１１０の下端及び輪郭形成用外壁１２０の下端とは同一面上に位置するように構成されている。
【００７５】
輪郭形成用追加外壁３１０の高さは輪郭形成用外壁１２０の高さと同一である。すなわち、輪郭形成用追加外壁３１０は構造的には輪郭形成用外壁１２０と相似の形状である点を除いて輪郭形成用外壁１２０と同一の構造を有している。
【００７６】
輪郭形成用追加外壁３１０は４個の接続片３２０を介して輪郭形成用外壁１２０と連結されている。４個の接続片３２０の各々は４個の接続片１３０の各々の延長線上に形成されており、さらに、接続片１３０と同様に、輪郭形成用追加外壁３１０の傾斜部１２１の鉛直方向成分に沿ってのみ形成されている。
【００７７】
接続片３２０は、輪郭形成用外壁１２０と輪郭形成用追加外壁３１０とが全周にわたって等距離に離隔されるように、輪郭形成用外壁１２０と輪郭形成用追加外壁３１０とを相互に接続している。
【００７８】
本実施形態に係る食材用絵柄形成具３００によれば、輪郭形成用外壁１２０と輪郭形成用追加外壁３１０との間に第三領域３２１が形成される。すなわち、本実施形態に係る食材用絵柄形成具３００は第一領域１１１、第二領域１２３及び第三領域３２１の三つの領域を形成する。これら三つの領域のうちの任意の１個または２個の領域、あるいは、三つの全ての領域を用いることにより、米飯上に食材による複数の絵柄を形成することができる。
【００７９】
また、第二の実施形態に係る食材用絵柄形成具２００における蓋２５０を第三の実施形態に係る食材用絵柄形成具３００に用いることも可能である。この場合には、蓋２５０の外縁２５３は輪郭形成用追加外壁３１０の上端に接するように形成される。
【００８０】
蓋２５０を用いることにより、外側領域（第三領域３２１の外側の領域）を加えた四個の領域を画定することができ、さらに多数の絵柄を米飯上に形成することが可能になる。
【００８１】
本実施形態に係る食材用絵柄形成具３００は１個の輪郭形成用追加外壁３１０を有するものとして構成されているが、２個以上の輪郭形成用追加外壁を形成することも可能である。この場合には、輪郭形成用追加外壁３１０の外側に、輪郭形成用追加外壁３１０と同様にして、他の輪郭形成用追加外壁を順次形成する。形成する輪郭形成用追加外壁の個数は任意に選択可能である。
【図面の簡単な説明】
【００８２】
【図１】図１（Ａ）は本考案の第一の実施形態に係る食材用絵柄形成具を上方から見た場合の平面図、図１（Ｂ）は図１（Ａ）のＡ−Ａ線における断面図である。
【図２】図２（Ａ）は本考案の第二の実施形態に係る食材用絵柄形成具に用いる蓋を上方から見た場合の平面図、図２（Ｂ）は図２（Ａ）のＢ−Ｂ線における断面図、図２（Ｃ）は蓋を食材用絵柄形成具に被せた状態を示す図１（Ｂ）または図２（Ｂ）と同様の断面図である。
【図３】図３（Ａ）は本考案の第三の実施形態に係る食材用絵柄形成具を上方から見た場合の平面図、図３（Ｂ）は図３（Ａ）のＣ−Ｃ線における断面図である。
【符号の説明】
【００８３】
１００  本考案の第一の実施形態に係る食材用絵柄形成具
１１０  輪郭形成用内壁
１１１  第一領域
１２０  輪郭形成用外壁
１２１  傾斜部
１２２  鉛直部
１２３  第二領域
１３０  接続片
２５０  蓋
２５１  凹部
２５２  平面部
２５３  外縁部
３００  本考案の第三の実施形態に係る食材用絵柄形成具
３１０  輪郭形成用追加外壁
３２０  接続片
３２１  第三領域
【図１】
0003147853.tif 000003
【図２】
0003147853.tif 000004
【図３】
0003147853.tif 000005